(57)【要約】【課題】画質の低下と消費電力の増大を抑止しつつ、動画像と静止画を同時に記録する。【解決手段】録画処理が開始されると、撮像素子の画素読み出しでは、同図９Ｂに示すように、動画像のみ撮像時には間引きが行われ、静止画像撮像時には間引きが行われない。また、間引き部では、同図Ｃに示すように、静止画像撮像時にのみ間引きが行われる。そして結果的に動画像の撮像は、同図Ｄに示すように、録画処理が終了されるまで中断されることなく継続され、静止画像の撮像は、同図Ｅに示すように、静止画像撮像時にだけ行われる。本発明は、デジタルビデオカメラに適用することができる。【選択図】図９
2007150439.tif 000002
【特許請求の範囲】
【請求項１】
動画像および静止画像を同時に撮像して記録する撮像装置において、
被写体の光学像を画素信号に変換し、動画像だけを記録して静止画像を記録しないときには画素信号を間引いて後段に出力し、動画像を記録して静止画像も記録するときには画素信号を間引くことなく後段に出力する変換手段と、
動画像を記録して静止画像も記録するときにだけ、前記変換手段から出力された画素信号を間引く間引き手段と、
前記変換手段または前記間引き手段による間引き後の画素信号に基づいて動画像データを生成する動画像データ生成手段と、
前記変換手段から出力された間引きが行われていない画素信号に基づいて静止画像データを生成する静止画像データ生成手段と、
生成された前記動画像データおよび前記静止画像データを記録する記録手段と
を含む撮像装置。
【請求項２】
前記間引き手段は、動画像だけを記録して静止画像を記録しないときにおける前記変換手段による間引きと同様に、動画像を記録して静止画像も記録するときにだけ、前記変換手段から出力された画素信号を間引く
請求項１に記載の撮像装置。
【請求項３】
前記変換手段は、CMOS(Complementary Metal-Oxide Semiconductor)センサである
請求項１に記載の撮像装置。
【請求項４】
動画像および静止画像を同時に撮像して記録する撮像装置の撮像方法において、
動画像だけを記録して静止画像を記録しない場合、
被写体の光学像を画素信号に変換してその結果得られた画素信号を間引いて後段に出力し、
間引き後の画素信号に基づいて動画像データを生成し、
生成された前記動画像データを記録し、
動画像を記録して静止画像も記録する場合、
被写体の光学像を画素信号に変換してその結果得られた画素信号を間引くことなく後段に出力し、
間引かれていない前記画素信号に基づいて静止画像データを生成し、
生成された前記静止画像データを記録するとともに、
間引かれていない前記画素信号を間引き、
間引き後の画素信号に基づいて動画像データを生成し、
生成された前記動画像データを記録する
ステップを含む撮像方法。
【請求項５】
動画像および静止画像を同時に撮像して記録するためのプログラムであって、
動画像だけを記録して静止画像を記録しない場合、
被写体の光学像を画素信号に変換してその結果得られた画素信号を間引いて後段に出力させ、
間引き後の画素信号に基づいて動画像データを生成させ、
生成された前記動画像データを記録させ、
動画像を記録して静止画像も記録する場合、
被写体の光学像を画素信号に変換してその結果得られた画素信号を間引くことなく後段に出力させ、
間引かれていない前記画素信号に基づいて静止画像データを生成させ、
生成された前記静止画像データを記録させるとともに、
間引かれていない前記画素信号を間引かせ、
間引き後の画素信号に基づいて動画像データを生成させ、
生成された前記動画像データを記録させる
ステップを含む処理をコンピュータに実行させるプログラム。
【発明の詳細な説明】
【技術分野】
【０００１】
本発明は、撮像装置、撮像方法、およびプログラムに関し、特に、動画像および静止画像を同時に撮像できるようにした撮像装置、撮像方法、およびプログラムに関する。
【背景技術】
【０００２】
従来、CCD(Charge Coupled Device)またはCMOS(Complementary Metal-Oxide Semiconductor)センサなどの撮像素子を備えたデジタルスチルカメラやデジタルビデオカメラが普及している。
【０００３】
デジタルスチルカメラは静止画像を撮像するものであり、デジタルビデオカメラは動画像を撮像するものであるが、動画像を撮像できる機能を有するデジタルスチルカメラや、静止画像を撮像できる機能を有するデジタルビデオカメラも存在する。ただし、これらは静止画像と動画像を同時に撮像するのではなく、いずれか一方を撮像するものであった。
【０００４】
例えば、静止画を記録できる従来のデジタルビデオカメラでは、動画像の記録中に静止画像の記録が指示された場合、動画像の記録動作を一旦停止し、静止画像を記録した後、再び動画像の記録を開始するものがある。しかしながら、このようなデジタルビデオカメラでは、動画像の連続性が失われてしまうという問題があった。
【０００５】
そこで、これまでにも、静止画像と動画像を同時に撮像するさまざまな方法が提案されている（例えば特許文献１参照）。
【０００６】
【特許文献１】特開２００２−４４５３１号公報
【発明の開示】
【発明が解決しようとする課題】
【０００７】
従来提案されている動画像の記録中に静止画も記録する方法としては、例えば、記録する動画像から１フレーム分の画像データを抽出し、これを静止画像として記録する方法がある。この方法の場合、撮像素子から動画像としての記録する分の画素信号だけを出力し、記録する静止画像は動画像用の処理が施されているので、動画像としての記録に適するように画枠のサイズが変換されていたり、色信号の帯域が制限されていたりする（情報量が削減されている）など、静止画像としての画質を十分に満たしていないことがある。
【０００８】
また例えば、常に撮像素子から全ての画素を出力し、動画像として記録するときには画素を間引いて動画像の記録に適した画枠サイズに縮小して記録し、静止画像を記録するときには画素を間引くことなく撮像素子から出力されたときの画枠サイズで記録する方法がある。この方法の場合、撮像素子から常に全ての画素を出力するので、撮像素子における消費電力が増大してしまう。通常、撮像装置はバッテリを電源としているので、消費電力はできるだけ少ないことが望ましい。
【０００９】
またさらに、例えば、動画像の撮像用と静止画像の撮像用のそれぞれに撮像素子を設ける方法が考えられる。この方法では、撮像素子を複数用いる必要があり、装置規模の拡大、コスト高、消費電力の増加が発生する。
【００１０】
本発明はこのような状況に鑑みてなされたものであり、画質の低下と消費電力の増大を抑止しつつ、動画像の記録と静止画の記録を同時に行えるようにするものである。
【課題を解決するための手段】
【００１１】
本発明の一側面である撮像装置は、動画像および静止画像を同時に撮像して記録する撮像装置において、被写体の光学像を画素信号に変換し、動画像だけを記録して静止画像を記録しないときには画素信号を間引いて後段に出力し、動画像を記録して静止画像も記録するときには画素信号を間引くことなく後段に出力する変換手段と、動画像を記録して静止画像も記録するときにだけ、前記変換手段から出力された画素信号を間引く間引き手段と、前記変換手段または前記間引き手段による間引き後の画素信号に基づいて動画像データを生成する動画像データ生成手段と、前記変換手段から出力された間引きが行われていない画素信号に基づいて静止画像データを生成する静止画像データ生成手段と、生成された前記動画像データおよび前記静止画像データを記録する記録手段とを含む。
【００１２】
前記間引き手段は、動画像だけを記録して静止画像を記録しないときにおける前記変換手段による間引きと同様に、動画像を記録して静止画像も記録するときにだけ、前記変換手段から出力された画素信号を間引くようにすることができる。
【００１３】
前記変換手段は、CMOSセンサとすることができる。
【００１４】
本発明の一側面である撮像方法は、動画像および静止画像を同時に撮像して記録する撮像装置の撮像方法において、動画像だけを記録して静止画像を記録しない場合、被写体の光学像を画素信号に変換してその結果得られた画素信号を間引いて後段に出力し、間引き後の画素信号に基づいて動画像データを生成し、生成された前記動画像データを記録し、動画像を記録して静止画像も記録する場合、被写体の光学像を画素信号に変換してその結果得られた画素信号を間引くことなく後段に出力し、間引かれていない前記画素信号に基づいて静止画像データを生成し、生成された前記静止画像データを記録するとともに、間引かれていない前記画素信号を間引き、間引き後の画素信号に基づいて動画像データを生成し、生成された前記動画像データを記録するステップを含む。
【００１５】
本発明の一側面であるプログラムは、動画像および静止画像を同時に撮像して記録するためのプログラムであって、動画像だけを記録して静止画像を記録しない場合、被写体の光学像を画素信号に変換してその結果得られた画素信号を間引いて後段に出力させ、間引き後の画素信号に基づいて動画像データを生成させ、生成された前記動画像データを記録させ、動画像を記録して静止画像も記録する場合、被写体の光学像を画素信号に変換してその結果得られた画素信号を間引くことなく後段に出力させ、間引かれていない前記画素信号に基づいて静止画像データを生成させ、生成された前記静止画像データを記録させるとともに、間引かれていない前記画素信号を間引かせ、間引き後の画素信号に基づいて動画像データを生成させ、生成された前記動画像データを記録させるステップを含む処理をコンピュータに実行させる。
【００１６】
本発明の一側面においては、動画像だけを記録して静止画像を記録しない場合、被写体の光学像が画素信号に変換されてその結果得られた画素信号が間引いて後段に出力され、間引き後の画素信号に基づいて動画像データが生成され、生成された動画像データが記録される。また、動画像を記録して静止画像も記録する場合、被写体の光学像が画素信号に変換されてその結果得られた画素信号が間引かれることなく後段に出力され、間引かれていない画素信号に基づいて静止画像データが生成され、生成された静止画像データが記録されるとともに、間引かれていない画素信号が間引かれ、間引き後の画素信号に基づいて動画像データが生成され、生成された動画像データが記録される。
【発明の効果】
【００１７】
本発明の一側面によれば、画質の低下と消費電力の増大を抑止しつつ、動画像の記録と静止画の記録を同時に行うことができる。
【発明を実施するための最良の形態】
【００１８】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面である撮像装置（例えば、図１のデジタルカメラ１）は、動画像および静止画像を同時に撮像して記録する撮像装置において、被写体の光学像を画素信号に変換し、動画像だけを記録して静止画像を記録しないときには画素信号を間引いて後段に出力し、動画像を記録して静止画像も記録するときには画素信号を間引くことなく後段に出力する変換手段（例えば、図１の撮像素子１２）と、動画像を記録して静止画像も記録するときにだけ、前記変換手段から出力された画素信号を間引く間引き手段（例えば、図１の間引き部１４）と、前記変換手段または前記間引き手段による間引き後の画素信号に基づいて動画像データを生成する動画像データ生成手段（例えば、図１の動画像用信号処理部１５）と、前記変換手段から出力された間引きが行われていない画素信号に基づいて静止画像データを生成する静止画像データ生成手段（例えば、図１の静止画像用信号処理部１６）と、生成された前記動画像データおよび前記静止画像データを記録する記録手段（例えば、図１の記録部１７）とを含む。
【００２０】
本発明の一側面である撮像方法は、動画像および静止画像を同時に撮像して記録する撮像装置の撮像方法において、動画像だけを記録して静止画像を記録しない場合、被写体の光学像を画素信号に変換してその結果得られた画素信号を間引いて後段に出力し（例えば、図８のステップＳ２）、間引き後の画素信号に基づいて動画像データを生成し（例えば、図８のステップＳ３）、生成された前記動画像データを記録し（例えば、図８のステップＳ４）、動画像を記録して静止画像も記録する場合、被写体の光学像を画素信号に変換してその結果得られた画素信号を間引くことなく後段に出力し（例えば、図８のステップＳ６）、間引かれていない前記画素信号に基づいて静止画像データを生成し、生成された前記静止画像データを記録する（例えば、図８のステップＳ７）とともに、間引かれていない前記画素信号を間引き（例えば、図８のステップＳ８）、間引き後の画素信号に基づいて動画像データを生成し（例えば、図８のステップＳ３）、生成された前記動画像データを記録する（例えば、図８のステップＳ４）ステップを含む。
【００２１】
本発明の一側面であるプログラムは、動画像および静止画像を同時に撮像して記録するためのプログラムであって、動画像だけを記録して静止画像を記録しない場合、被写体の光学像を画素信号に変換してその結果得られた画素信号を間引いて後段に出力させ（例えば、図８のステップＳ２）、間引き後の画素信号に基づいて動画像データを生成させ（例えば、図８のステップＳ３）、生成された前記動画像データを記録させ（例えば、図８のステップＳ４）、動画像を記録して静止画像も記録する場合、被写体の光学像を画素信号に変換してその結果得られた画素信号を間引くことなく後段に出力させ（例えば、図８のステップＳ６）、間引かれていない前記画素信号に基づいて静止画像データを生成させ、生成された前記静止画像データを記録させる（例えば、図８のステップＳ７）とともに、間引かれていない前記画素信号を間引かせ（例えば、図８のステップＳ８）、間引き後の画素信号に基づいて動画像データを生成させ（例えば、図８のステップＳ３）、生成された前記動画像データを記録させる（例えば、図８のステップＳ４）ステップを含む処理をコンピュータに実行させる。
【００２２】
以下、本発明を適用した具体的な実施の形態について、図面を参照しながら詳細に説明する。
【００２３】
図１は、本発明の一実施の形態であるデジタルカメラの構成例を示している。このデジタルカメラ１は、動画像の撮像を中断することなく、静止画像も撮像できるものである。以下、動画像のみを撮像しているときを、「動画像のみ撮像時」と称し、動画像を撮像しつつ、静止画像も撮像するときを静止画像撮像時と称する。
【００２４】
デジタルカメラ１は、被写体の光学像を撮像素子１２に集束させるレンズ群１１、集束された光学像を電気信号（画素）に変換し、動画像のみ撮像時には画素を間引いて後段に出力し、静止画像撮像時には画素を間引くことなく後段に出力する撮像素子１２、撮像素子１２から出力されるアナログ信号の画素をデジタル信号に変換するアナログフロントエンド(AFE)部１３、AFE部１３の出力に対して画素の間引きを行う間引き部１４、間引き部１４から入力される画素に基づいて動画像データを生成する動画像用信号処理部１５、AFE部１３から入力される画素に基づいて静止画像データを生成する静止画像用信号処理部１６、動画像データと静止画像データを記録媒体（不図示）に記録する記録部１７、ユーザの操作を受け付ける操作部１８、およびデジタルカメラ１の全体を制御する制御部１９から構成される。
【００２５】
撮像素子１２はCMOSセンサより成り、例えば図２Ａに示す原色ベイヤ配列のカラーフィルタによってその受光面が覆われている。なお、図２はカラーフィルタのうち、５×５画素の領域を示したものであり、Ｒは赤、Ｂは青、Ｇｒは赤のラインにおける緑、Ｇｂは青のラインにおける緑を示している。
【００２６】
撮像素子１２を成すCMOSは、水平方向に隣接する４画素を同時に出力できるものとする。したがって、例えば、図２Ａの左上の画素Ｒを基準とした場合、Ｒ，Ｇｒ，Ｒ，Ｇｒの４画素が同時に出力される。撮像素子１２の読み出しタイミングを１０８メガヘルツとすれば、１フレーム周期（１／６０秒）当たり、７．２（＝１０８×４／６０）メガピクセルの読み出しが可能であるので、撮像素子１２の全画素数が７．２×１０6以下であれば、１フレーム周期ごとに全画素を読み出すことができる。
【００２７】
撮像素子１２による間引きは、動画像のみ撮像時にだけ行われるが、この間引きは、例えば、図２Ｂに斜線で示す９画素を加算して１画素を生成するなどの方法により行われ、元の画枠サイズの縦横が縮小される。いまの例の場合、元の画枠サイズの縦横がそれぞれ１／３に縮小される。なお、間引きの方法と縮小率は上述した例に限定されるものではない。
【００２８】
AFE部１３は、撮像素子１２から出力される画素をサンプリングするサンプル・ホールド処理、サンプリングした画素のゲインを調整するAGC(Automatic Gain Control)処理、およびAGC処理済みの画素をデジタル化するA/D(Analog/Digital)変換を実行する。
【００２９】
間引き部１４は、静止画像撮像時にAFE部１３から入力される、間引かれていない画素に対し、撮像素子１２による動画像のみ撮像時における間引き処理と同様の間引き処理を施して動画像用信号処理部１５に出力する。また、動画像のみ撮像時にAFE部１３から入力される間引かれた画素はそのまま動画像用信号処理部１５に出力する。なお、間引き部１４の構成例については、図３乃至図６を参照して後述する。
【００３０】
動画像用信号処理部１５は、動画像のみ撮像時および静止画像撮像時において、間引き部１４から入力される間引かれた画素に基づき、動画像データを生成して記録部１７に出力する。静止画像用信号処理部１６は、静止画像撮像時にのみ、AFE部１３が出力する、間引かれていない画素に基づき、静止画像データを生成して記録部１７に出力する。
【００３１】
操作部１８は、デジタルカメラ１の筐体に設けられたスイッチやボタンなどから成り、動画像の撮像開始や終了、静止画像の撮像タイミング（シャッタタイミング）を指示するユーザの操作を受け付け、対応する操作信号を制御部１９に出力する。制御部１９は、操作部１８からの操作信号に対応し、デジタルカメラ１の全体を制御する。特に、撮像素子１２において間引きを行うか否か、間引き部１４で間引きを行うか否かも制御する。
【００３２】
次に、図３は間引き部１４の構成例を示している。間引き部１４は、同一水平ライン上に並ぶ同色６画素を２色分出力する水平方向６画素同時出力部２１、同一水平ライン上に並ぶ同色６画素を配置順に３画素ずつ加算する水平方向画素加算フィルタ２２および２３、水平方向画素加算フィルタ２２および２３の演算結果を所定のライン分垂直方向に加算する垂直方向画素加算フィルタ２４および２５、並びに垂直方向画素加算フィルタ２４および２５の出力を所定のタイミングで後段に出力する出力ライン選択部２８から構成される。
【００３３】
水平方向６画素同時出力部２１は、AFE部１３から同時に入力される水平方向に隣接した４画素Ｐ１，Ｐ２，Ｐ３，Ｐ４の出力タイミングを調整し、同一水平ライン上に並ぶ同色の６画素を水平方向画素加算フィルタ２２または２３に出力する。ここで、AFE部１３からあるタイミングに同時入力される水平方向に隣接した４画素を、例えば図４に示すように、４画素Ｐ１−１，Ｐ２−１，Ｐ３−１，Ｐ４−１とし、その次のタイミングには４画素Ｐ１−２，Ｐ２−２，Ｐ３−２，Ｐ４−２が同時に出力され、その次のタイミングには４画素Ｐ１−３，Ｐ２−３，Ｐ３−３，Ｐ４−３が同時に出力されるとする。
【００３４】
水平方向６画素同時出力部２１は、図５に示すように８個の遅延部（Ｄ）３１乃至３８から構成され、入力される画素を最大２クロック分遅延することにより、同一水平ライン上に並ぶ同色の６画素を水平方向画素加算フィルタ２２または２３に出力する。例えば、図４に示された最上段の画素のうち、Ｒの６画素Ｐ１−１，Ｐ３−１，Ｐ１−２，Ｐ３−２，Ｐ１−３，Ｐ３−３が同時に水平方向画素加算フィルタ２２に出力される。また、Ｇｒの６画素Ｐ２−１，Ｐ４−１，Ｐ２−２，Ｐ４−２，Ｐ２−３，Ｐ４−３が同時に水平方向画素加算フィルタ２３に出力される。
【００３５】
水平方向画素加算フィルタ２２は、図６に示すように、前段から入力される同色の６画素を任意に選択する画素選択部４１、および、画素選択部４１によって選択された画素を加算する加算部４２から構成される。画素選択部４１において選択する画素を変更することにより、水平方向の間引き率や加算後の位相を任意に設定することが可能である。なお、水平方向画素加算フィルタ２３の構成については、水平方向画素加算フィルタ２２と同様であるので、その説明は省略する。
【００３６】
垂直方向画素加算フィルタ２４は、図７に示すように、水平方向画素加算フィルタ２２の出力または加算部５３の出力を後段に供給するセレクタ５１、セレクタ５１の出力を保持するディレイライン５２、水平方向画素加算フィルタ２２の出力とディレイライン５２に保持された値を加算する加算部５３、および加算部５３の出力に所定の係数を乗算する乗算部５４から構成される。
【００３７】
垂直方向画素加算フィルタ２４においては、水平方向画素加算フィルタ２２の出力である水平方向に加算された画素がディレイライン５２によって遅延され、水平方向の位置が等しい他のラインにおいて加算された画素と加算される。加算する垂直ライン数は任意に変更することができ、この変更によって垂直方向の間引き率や加算後の位相を任意に設定することが可能である。なお、垂直方向の加算値に乗算する係数は、水平および垂直方向に加算した画素の総数に基づき、その信号レベルが撮像素子１２の出力と同程度になるように決定した値を用いる。垂直方向画素加算フィルタ２５の構成については、垂直方向画素加算フィルタ２４と同様であるので、その説明は省略する。
【００３８】
次に、デジタルカメラ１の録画処理について、図８のフローチャートを参照して説明する。この録画処理は、操作部１８に対してユーザから動画像の撮像（録画）開始が指示されたときに開始される。
【００３９】
ステップＳ１において、制御部１９は、操作部１８に対してユーザから静止画像の撮像が指示されたか否かを判定し、静止画像の撮像が指示されていないと判定した場合、処理をステップＳ２に進める。
【００４０】
ステップＳ２において、撮像素子１２は、制御部１９からの制御に従い、動画像の画枠サイズに適するように画素を間引きして後段に出力する。この後、間引きされた画素はAFE部１３によりデジタル信号に変換され、間引き部１４をそのまま通過して動画像用信号処理部１５に供給される。
【００４１】
ステップＳ３において、動画像用信号処理部１５は、間引かれた画素に基づき、動画像データを生成して記録部１７に出力する。ステップＳ４において、記録部１７は、動画像用信号処理部１５から入力された動画像データを記録媒体に記録する。
【００４２】
ステップＳ５において、制御部１９は、操作部１８に対してユーザから動画像の撮像（録画）の終了が指示されたか否かを判定し、録画の終了が指示されていないと判定した場合、ステップＳ１に戻り、それ以降の処理を繰り返す。すなわち、動画像データの記録を継続する。
【００４３】
なお、ステップＳ１において、静止画像の撮像が指示されたと判定された場合、処理をステップＳ６に進める。
【００４４】
ステップＳ６において、撮像素子１２は、制御部１９からの制御に従い、間引くことなく全ての画素を後段に出力する。この後、間引かれていない画素はAFE部１３によりデジタル信号に変換され、間引き部１４および静止画像用信号処理部１６に供給される。
【００４５】
間引かれていない画素が供給された一方の静止画像用信号処理部１６は、ステップＳ７において、間引かれていない画素に基づき、静止画像データを生成して記録部１７に出力する。記録部１７は、静止画像用信号処理部１６から入力された静止画像データを記録媒体に記録する。
【００４６】
他方の間引き部１４は、ステップ８において、ステップＳ２の処理における撮像素子１２の間引きと同様に、前段から入力された、間引かれていない画素の間引きを行い、動画像用信号処理部１５に供給する。
【００４７】
なお、ステップＳ７の処理とステップＳ８の処理は実際には平行して同時に実施される。
【００４８】
この後、処理はステップＳ３に進み、それ以降の処理が繰り返される。すなわち、間引かれた画素に基づいて動画像データが生成され記録媒体に記録される。そして、ステップＳ５において、録画の終了が指示されたと判定された場合、各部の動作が停止されて録画が終了される。
【００４９】
以上説明した録画処理をまとめると図９に示すようになる。すなわち、録画処理が開始されると、撮像素子１２の画素読み出しでは、同図９Ｂに示すように、動画像のみ撮像時には間引きが行われ、静止画像撮像時には間引きが行われない。また、間引き部１４では、同図Ｃに示すように、静止画像撮像時にのみ間引きが行われる。そして結果的に動画像の撮像は、同図Ｄに示すように、録画処理が終了されるまで中断されることなく継続され、静止画像の撮像は、同図Ｅに示すように、静止画像撮像時にだけ行われる。
【００５０】
なお、記録される静止画像は画素の間引きが行われていないので、画質の低下が抑止される。また、静止画像撮像時以外は撮像素子１２において間引きが行われるので、全画素読み出しを行う場合に比較して、撮像素子１２の消費電力が削減される。
【００５１】
ところで、上述した一連の処理は、ハードウェアにより実行させることもできるが、ソフトウェアにより実行させることもできる。
【００５２】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００５３】
なお、本発明の実施の形態は、上述した実施の形態に限定されるものではなく、本発明の要旨を逸脱しない範囲において種々の変更が可能である。
【図面の簡単な説明】
【００５４】
【図１】本発明を適用したデジタルカメラの構成例を示すブロック図である。
【図２】図１の撮像素子を覆うカラーフィルタの配列の一例を示す図である。
【図３】図１の間引き部の構成例を示すブロック図である。
【図４】画素の配列の一例を示す図である。
【図５】図３の水平方向６画素同時出力部の構成例を示すブロック図である。
【図６】図３の水平方向画素加算フィルタの構成例を示すブロック図である。
【図７】図３の垂直方向画素加算フィルタの構成例を示すブロック図である。
【図８】本発明を適用したデジタルカメラによる録画処理を説明するフローチャートである。
【図９】録画処理の概要を説明する図である。
【符号の説明】
【００５５】
１  デジタルカメラ，  １１  レンズ群，  １２  撮像素子，  １３  AFE部，  １４  間引き部，  １５  動画像用信号処理部，  １６  静止画像用信号処理部，  １７  記録部，  １８  操作部，  １９  制御部
【図１】
2007150439.tif 000003
【図２】
2007150439.tif 000004
【図３】
2007150439.tif 000005
【図４】
2007150439.tif 000006
【図５】
2007150439.tif 000007
【図６】
2007150439.tif 000008
【図７】
2007150439.tif 000009
【図８】
2007150439.tif 000010
【図９】
2007150439.tif 000011